【手続補正書】
【提出日】平成17年5月19日(2005.5.19)
【手続補正１】
【補正対象書類名】特許請求の範囲
【補正対象項目名】全文
【補正方法】変更
【補正の内容】
【特許請求の範囲】
【請求項１】
発光色が異なる複数種の光源と、
前記複数種の光源のうち少なくとも一つの光源の発光強度をモニタする光検出手段と、
前記複数種の光源のすべてを所定の発光輝度で同時に発光させる発光期間と、前記複数種の光源のうち少なくとも一つ以上且つ前記光源の種類の数より少ない種類の光源の発光強度を減少させる監視期間とを設けるように制御する発光制御手段とを備えた発光装置であって、
前記発光制御手段は、前記監視期間における前記光検出手段からの発光強度情報を用いて、前記複数種の光源のうち少なくとも一つの光源の発光強度を制御することにより、前記複数種の光源による合成光を所望の輝度又は色度に調整することを特徴とする発光装置。
【請求項２】
前記発光制御手段は、前記複数種の光源のうち少なくとも一つ以上且つ前記光源の種類の数より少ない種類の光源を前記所定の発光強度にするタイミングまたは前記発光強度を減少させるタイミングのいずれか一方を、その他の光源を前記所定の発光強度にするタイミングまたは前記発光強度を減少させるタイミングに対してずらすことにより、前記監視期間を設けることを特徴とする前記請求項１に記載の発光装置。
【請求項３】
発光色が異なる複数種の光源と、
前記複数種の光源のうち少なくとも一つの光源の発光強度をモニタする光検出手段と、
前記複数種の光源のすべてを所定の発光輝度で同時に発光させる発光期間と、前記複数種の光源のうち少なくとも一つ以上且つ前記光源の種類の数より少ない種類の光源の発光強度を増加させる監視期間とを設けるように制御する発光制御手段とを備えた発光装置であって、
前記発光制御手段は、前記監視期間における前記光検出手段からの発光強度情報を用いて、前記複数種の光源のうち少なくとも一つの光源の発光強度を制御することにより、前記複数種の光源による合成光を所望の輝度又は色度に調整することを特徴とする発光装置。
【請求項４】
前記発光制御手段は、前記複数種の光源のうち少なくとも一つ以上且つ前記光源の種類の数より少ない種類の光源を前記所定の発光強度にするタイミングまたは前記発光強度を増加させるタイミングのいずれか一方を、その他の光源を前記所定の発光強度にするタイミングまたは前記発光強度を増加させるタイミングに対してずらすことにより、前記監視期間を設けることを特徴とする前記請求項３に記載の発光装置。
【請求項５】
前記光検出手段は、前記複数種の光源のうち少なくとも一つ以上の光源の発光波長を中心に、その分光感度特性を視感度特性にほぼ一致させていることを特徴とする前記請求項１乃至４のいずれかに記載の発光装置。
【請求項６】
前記光検出手段は、赤外線をカットする視感度フィルタを備えたことを特徴とする前記請求項１乃至５のいずれかに記載の発光装置。
【請求項７】
前記複数種の光源のすべての光源を消灯する期間を設け、
前記光検出手段は、前記複数種の光源のすべての光源を消灯した状態での光量をモニタすることを特徴とする前記請求項１乃至６のいずれかに記載の発光装置。
【請求項８】
３種類の光源を複数設けた光源ユニットと、
該光源ユニットからの光を面内に均一に照射するための導光板と、
該導光板の近傍位置に設けられた光検出手段としての光センサとを備えたことを特徴とする前記請求項１乃至７のいずれかに記載の発光装置。
【請求項９】
１または２種類の光源を複数設けた第１の光源ユニットと、
該第１の光源ユニットからの光を面内に均一に照射するための第１の導光板と、
これらの光源とは異なる２または１種類の光源を設けた第２の光源ユニットと、
該第２の光源ユニットおよび第１の導光板からの光を面内に均一に照射するための第２の導光板と、
該第１および第２の両導光板の近傍位置に設けられた光検出手段としての光センサとを備えたことを特徴とする前記請求項１乃至第８のいずれかに記載の発光装置。
【請求項１０】
前記請求項１乃至９のいずれかに記載の発光装置を用いたことを特徴とする表示装置。
【請求項１１】
前記請求項１または２に記載の発光装置を用いた表示装置であって、
入力映像信号に含まれる輝度信号のレベルが所定の閾値以下になったとき、前記監視期間を開始することを特徴とする表示装置。
【請求項１２】
前記請求項１または２に記載の発光装置を用いた表示装置であって、
前記監視期間において、当該表示装置の駆動信号の大きさを伸長することを特徴とする表示装置。
【請求項１３】
前記請求項１乃至９のいずれかに記載の発光装置を用いたことを特徴とする読み取り装置。
【手続補正２】
【補正対象書類名】明細書
【補正対象項目名】００１５
【補正方法】変更
【補正の内容】
【００１５】
本願の第１の発明は、発光色が異なる複数種の光源と、前記複数種の光源のうち少なくとも一つの光源の発光強度をモニタする光検出手段と、前記複数種の光源のすべてを所定の発光輝度で同時に発光させる発光期間と、前記複数種の光源のうち少なくとも一つ以上且つ前記光源の種類の数より少ない種類の光源の発光強度を減少させる監視期間とを設けるように制御する発光制御手段とを備えた発光装置であって、前記発光制御手段が、前記監視期間における前記光検出手段からの発光強度情報を用いて、前記複数種の光源のうち少なくとも一つの光源の発光強度を制御することにより、前記複数種の光源による合成光を所望の輝度又は色度に調整することを特徴とする。
【手続補正３】
【補正対象書類名】明細書
【補正対象項目名】００１６
【補正方法】変更
【補正の内容】
【００１６】
本願の第２の発明は、前記発光制御手段が、前記複数種の光源のうち少なくとも一つ以上且つ前記光源の種類の数より少ない種類の光源を前記所定の発光強度にするタイミングまたは前記発光強度を減少させるタイミングのいずれか一方を、その他の光源を前記所定の発光強度にするタイミングまたは前記発光強度を減少させるタイミングに対してずらすことにより、前記監視期間を設けることを特徴とする。
【手続補正４】
【補正対象書類名】明細書
【補正対象項目名】００１７
【補正方法】変更
【補正の内容】
【００１７】
本願の第３の発明は、発光色が異なる複数種の光源と、前記複数種の光源のうち少なくとも一つの光源の発光強度をモニタする光検出手段と、前記複数種の光源のすべてを所定の発光輝度で同時に発光させる発光期間と、前記複数種の光源のうち少なくとも一つ以上且つ前記光源の種類の数より少ない種類の光源の発光強度を増加させる監視期間とを設けるように制御する発光制御手段とを備えた発光装置であって、前記発光制御手段が、前記監視期間における前記光検出手段からの発光強度情報を用いて、前記複数種の光源のうち少なくとも一つの光源の発光強度を制御することにより、前記複数種の光源による合成光を所望の輝度又は色度に調整することを特徴とする。
【手続補正５】
【補正対象書類名】明細書
【補正対象項目名】００１８
【補正方法】変更
【補正の内容】
【００１８】
本願の第４の発明は、前記発光制御手段が、前記複数種の光源のうち少なくとも一つ以上且つ前記光源の種類の数より少ない種類の光源を前記所定の発光強度にするタイミングまたは前記発光強度を増加させるタイミングのいずれか一方を、その他の光源を前記所定の発光強度にするタイミングまたは前記発光強度を増加させるタイミングに対してずらすことにより、前記監視期間を設けることを特徴とする。
【手続補正６】
【補正対象書類名】明細書
【補正対象項目名】００１９
【補正方法】変更
【補正の内容】
【００１９】
本願の第５の発明は、前記光検出手段が、前記複数種の光源のうち少なくとも一つ以上の光源の発光波長を中心に、その分光感度特性を視感度特性にほぼ一致させていることを特徴とする。
【手続補正７】
【補正対象書類名】明細書
【補正対象項目名】００２０
【補正方法】変更
【補正の内容】
【００２０】
本願の第６の発明は、前記光検出手段が、赤外線をカットする視感度フィルタを備えたことを特徴とする。
【手続補正８】
【補正対象書類名】明細書
【補正対象項目名】００２１
【補正方法】変更
【補正の内容】
【００２１】
本願の第７の発明は、前記複数種の光源のすべての光源を消灯する期間を設け、前記光検出手段が、前記複数種の光源のすべての光源を消灯した状態での光量をモニタすることを特徴とする。
【手続補正９】
【補正対象書類名】明細書
【補正対象項目名】００２２
【補正方法】変更
【補正の内容】
【００２２】
本願の第８の発明は、３種類の光源を複数設けた光源ユニットと、該光源ユニットからの光を面内に均一に照射するための導光板と、該導光板の近傍位置に設けられた光検出手段としての光センサとを備えたことを特徴とする。
【手続補正１０】
【補正対象書類名】明細書
【補正対象項目名】００２３
【補正方法】変更
【補正の内容】
【００２３】
本願の第９の発明は、１または２種類の光源を複数設けた第１の光源ユニットと、該第１の光源ユニットからの光を面内に均一に照射するための第１の導光板と、これらの光源とは異なる２または１種類の光源を設けた第２の光源ユニットと、該第２の光源ユニットおよび第１の導光板からの光を面内に均一に照射するための第２の導光板と、該第１および第２の両導光板の近傍位置に設けられた光検出手段としての光センサとを備えたことを特徴とする。
【手続補正１１】
【補正対象書類名】明細書
【補正対象項目名】００２４
【補正方法】変更
【補正の内容】
【００２４】
本願の第１０の発明は、前記発光装置を用いたことを特徴とする表示装置である。
【手続補正１２】
【補正対象書類名】明細書
【補正対象項目名】００２５
【補正方法】変更
【補正の内容】
【００２５】
本願の第１１の発明は、前記発光装置を用いた表示装置であって、入力映像信号に含まれる輝度信号のレベルが所定の閾値以下になったとき、前記監視期間を開始することを特徴とする。
【手続補正１３】
【補正対象書類名】明細書
【補正対象項目名】００２６
【補正方法】変更
【補正の内容】
【００２６】
本願の第１２の発明は、前記発光装置を用いた表示装置であって、前記監視期間において、当該表示装置の駆動信号の大きさを伸長することを特徴とする。
【手続補正１４】
【補正対象書類名】明細書
【補正対象項目名】００２７
【補正方法】変更
【補正の内容】
【００２７】
本願の第１３の発明は、前記発光装置を用いたことを特徴とする読み取り装置である。
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】